(57)【要約】【課題】従来は、コストアップなどの弊害なしに、動画の解像度を上回る高解像度の静止画を動画撮影中に撮影することができなかった。【解決手段】撮像を行う光学部２と、撮像の結果に基づき、画像データを生成する撮像素子３と、所定の静止画像処理モードに応じて静止画像処理を生成された画像データに行い、静止画像データを生成する静止画像処理部５、静止画像圧縮部８と、所定の動画像処理モードに応じて動画像処理を生成された画像データに行い、動画像データを生成する動画像処理部４、動画像圧縮部７とを備えたデジタル画像伝送装置である。【選択図】  図１
2004282598.tif 000002
【特許請求の範囲】
【請求項１】
撮像を行う撮像手段と、
前記撮像の結果に基づき、画像データを生成する画像データ生成手段と、
所定の静止画像処理モードに応じて静止画像処理を前記生成された画像データに行い、静止画像データを生成する静止画像データ生成手段と、
所定の動画像処理モードに応じて動画像処理を前記生成された画像データに行い、動画像データを生成する動画像データ生成手段とを備えた画像生成装置。
【請求項２】
所定のネットワークを介する伝送を行うための静止画像データ伝送処理を前記生成された静止画像データに行う静止画像データ伝送処理手段と、
前記所定のネットワークを介する伝送を行うための動画像データ伝送処理を前記生成された動画像データに行う動画像データ伝送処理手段とをさらに備えた請求項１記載の画像生成装置。
【請求項３】
前記所定のネットワークは、静止画像データと動画像データとを同時に伝送可能な通信規格に準拠したネットワークである請求項２記載の画像生成装置。
【請求項４】
前記撮像手段は、所定の撮像モードに応じ、撮像を行い、
前記所定のネットワークを介して伝送されてくる指示に応じて、前記撮像モードを制御する撮像モード制御手段をさらに備えた請求項２記載の画像生成装置。
【請求項５】
前記所定のネットワークを介して伝送されてくる指示に応じて、前記静止画像処理モードおよび／または前記動画像処理モードを制御する画像処理モード制御手段をさらに備えた請求項２記載の画像生成装置。
【請求項６】
前記撮像が行われた時間に関する時間情報を前記生成された静止画像データおよび／または前記生成された動画像データに付加する時間情報付加手段をさらに備えた請求項１記載の画像生成装置。
【請求項７】
前記撮像手段は、複数台のディジタルカメラを有する請求項１記載の画像生成装置。
【請求項８】
撮像を行う撮像ステップと、
前記撮像の結果に基づき、画像データを生成する画像データ生成ステップと、
所定の静止画像処理モードに応じて静止画像処理を前記生成された画像データに行い、静止画像データを生成する静止画像データ生成ステップと、
所定の動画像処理モードに応じて動画像処理を前記生成された画像データに行い、動画像データを生成する動画像データ生成ステップとを備えた画像生成方法。
【請求項９】
請求項８記載の画像生成方法の、所定の静止画像処理モードに応じて静止画像処理を前記生成された画像データに行い、静止画像データを生成する静止画像データ生成ステップと、所定の動画像処理モードに応じて動画像処理を前記生成された画像データに行い、動画像データを生成する動画像データ生成ステップとをコンピュータに実行させるためのプログラム。
【請求項１０】
請求項９記載のプログラムを担持した記録媒体であって、コンピュータにより処理可能な記録媒体。
【発明の詳細な説明】
【０００１】
【発明の属する技術分野】
本発明は、たとえば、デジタルカメラで撮影された動画と静止画とをネットワークを経由して転送するための画像生成装置、画像生成方法、プログラム、および記録媒体に関する。
【０００２】
【従来の技術】
近年、撮影された画像をインターネットやパソコンを経由して伝送するＷＥＢカメラが、利用されている。
【０００３】
その伝送方式としては、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格やＵＳＢ（Ｕｎｉｖｅｒｓａｌ  Ｓｅｒｉａｌ  Ｂｕｓ）規格などが利用されている（たとえば特許文献１参照）。
【０００４】
なお、このようなＷＥＢカメラにおいては、デジタルカメラの解像度やフレームレートが一義的に決められている機器の構成や、外部トリガなどを利用することにより、解像度やフレームレートなどを切り換えて必要に応じた最適な画像データを得るのが一般的である。
【０００５】
【特許文献１】
特許第３０３９０５１号明細書
【０００６】
【発明が解決しようとする課題】
しかしながら、上記従来の構成では、動画の解像度を上回る高解像度の静止画を動画撮影中に撮影することはできない。
【０００７】
なお、動画は、デジタル４８０ｉ、４８０ｐ、７２０ｐなどの規格や、テレビ画像規格であるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＰＡＬ（Ｐｈａｓｅ  Ａｌｔｅｒｎａｔｉｏｎ  ｂｙ  Ｌｉｎｅ）によって撮影されるが、このようにして撮影された動画の１フレーム画像は、静止画として利用するために数百万画素以上で撮影された静止画像と比較すると画質が劣ってしまうものである。
【０００８】
もちろん、動画用と静止画用の２種類の装置を併用すれば、動画と静止画とを同時に撮影することは可能であるが、コストアップなどの弊害が避けられない。
【０００９】
本発明は、上記従来のこのような課題を考慮し、コストアップなどの弊害なしに、動画の解像度を上回る高解像度の静止画を動画撮影中に撮影することができる画像生成装置、画像生成方法、プログラム、および記録媒体を提供することを目的とするものである。
【００１０】
【課題を解決するための手段】
第１の本発明は、撮像を行う撮像手段（２）と、
前記撮像の結果に基づき、画像データを生成する画像データ生成手段（３）と、
所定の静止画像処理モードに応じて静止画像処理を前記生成された画像データに行い、静止画像データを生成する静止画像データ生成手段（５、８）と、
所定の動画像処理モードに応じて動画像処理を前記生成された画像データに行い、動画像データを生成する動画像データ生成手段（４、７）とを備えた画像生成装置である。
【００１１】
第２の本発明は、所定のネットワークを介する伝送を行うための静止画像データ伝送処理を前記生成された静止画像データに行う静止画像データ伝送処理手段（１２）と、
前記所定のネットワークを介する伝送を行うための動画像データ伝送処理を前記生成された動画像データに行う動画像データ伝送処理手段（１１）とをさらに備えた第１の本発明の画像生成装置である。
【００１２】
第３の本発明は、前記所定のネットワークは、静止画像データと動画像データとを同時に伝送可能な通信規格に準拠したネットワークである第２の本発明の画像生成装置である。
【００１３】
第４の本発明は、前記撮像手段（２）は、所定の撮像モードに応じ、撮像を行い、
前記所定のネットワークを介して伝送されてくる指示に応じて、前記撮像モードを制御する撮像モード制御手段（１３）をさらに備えた第２の本発明の画像生成装置である。
【００１４】
第５の本発明は、前記所定のネットワークを介して伝送されてくる指示に応じて、前記静止画像処理モードおよび／または前記動画像処理モードを制御する画像処理モード制御手段（１３）をさらに備えた第２の本発明の画像生成装置である。
【００１５】
第６の本発明は、前記撮像が行われた時間に関する時間情報を前記生成された静止画像データおよび／または前記生成された動画像データに付加する時間情報付加手段（１０）をさらに備えた第１の本発明の画像生成装置である。
【００１６】
第７の本発明は、前記撮像手段（２）は、複数台のディジタルカメラを有する第１の本発明の画像生成装置である。
【００１７】
第８の本発明は、撮像を行う撮像ステップと、
前記撮像の結果に基づき、画像データを生成する画像データ生成ステップと、
所定の静止画像処理モードに応じて静止画像処理を前記生成された画像データに行い、静止画像データを生成する静止画像データ生成ステップと、
所定の動画像処理モードに応じて動画像処理を前記生成された画像データに行い、動画像データを生成する動画像データ生成ステップとを備えた画像生成方法である。
【００１８】
第９の本発明は、第８の本発明の画像生成方法の、所定の静止画像処理モードに応じて静止画像処理を前記生成された画像データに行い、静止画像データを生成する静止画像データ生成ステップと、所定の動画像処理モードに応じて動画像処理を前記生成された画像データに行い、動画像データを生成する動画像データ生成ステップとをコンピュータに実行させるためのプログラムである。
【００１９】
第１０の本発明は、第９の本発明のプログラムを担持した記録媒体であって、コンピュータにより処理可能な記録媒体である。
【００２０】
【発明の実施の形態】
以下では、本発明にかかる実施の形態について、図面を参照しつつ説明を行う。
【００２１】
（実施の形態１）
はじめに、本発明の実施の形態１のデジタル画像伝送装置の構成を示す構成図である図１を主として参照しながら、本実施の形態のデジタル画像伝送装置の構成について説明する。
【００２２】
デジタルカメラ部１は、レンズなどの光学部２と、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーなどの撮像素子３と、撮影画像データを動画像処理する動画像処理部４と、撮影画像データを静止画像処理する静止画像処理部５とから構成されている。
【００２３】
画像データ処理部６は、動画像データをＭＰＥＧ（Ｍｏｖｉｎｇ  Ｐｉｃｔｕｒｅ  Ｅｘｐｅｒｔｓ  Ｇｒｏｕｐ）１、ＭＰＥＧ２、ＭＰＥＧ４、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）−２０００、ＤＶ（Ｄｉｇｉｔａｌ  Ｖｉｄｅｏ）などのデータ圧縮フォーマットを利用して圧縮する動画像圧縮部７と、静止画像データをＪＰＥＧなどのデータ圧縮フォーマットを利用して圧縮する静止画像圧縮部８とから構成されている。
【００２４】
データ通信部９は、動画像データや静止画像データに時刻情報を付加する時刻付加部１０と、動画像データを同期通信用にパケット化する同期通信パケット処理部１１と、静止画像データを非同期通信にパケット化したり、デジタルカメラ部１、画像データ処理部６への制御情報を非同期通信用にパケット化したりする非同期通信パケット処理部１２とから構成されている。
【００２５】
なお、本実施の形態の制御情報とは、動画および／または静止画用の、（ａ）解像度、（ｂ）フレームレート、（ｃ）ＭＰＥＧ１、ＭＰＥＧ２、ＭＰＥＧ４、ＪＰＥＧ−２０００、ＤＶ、ＪＰＥＧなどのデータ圧縮フォーマット（信号形式）の種類、（ｄ）データフレーム数、（ｅ）フレーム最大データ容量、（ｆ）撮影の開始・終了、（ｇ）ズームイン／ズームアウトなどに関する情報である。
【００２６】
１３９４処理部１４は、これらの同期通信パケットと非同期通信パケットとを、あらかじめ決められた順番にしたがって１３９４バス１５上に送受信するための手段である。
【００２７】
画像モード制御部１３は、非同期通信パケット処理部１２から受信した制御情報をデジタルカメラ部１、画像データ処理部６に設定するための手段である。
【００２８】
なお、光学部２は本発明の撮像手段に対応し、撮像素子３は本発明の画像データ生成手段に対応し、静止画像処理部５、静止画像圧縮部８を含む手段は本発明の静止画像データ生成手段に対応し、動画像処理部４、動画像圧縮部７を含む手段は本発明の動画像データ生成手段に対応する。また、非同期通信パケット処理部１２を含む手段は本発明の静止画像データ伝送処理手段に対応し、同期通信パケット処理部１１を含む手段は本発明の動画像データ伝送処理手段に対応する。また、画像モード制御部１３は、本発明の撮像モード制御手段、画像処理モード制御手段を含む手段に対応する。また、時刻付加部１０は、本発明の時間情報付加手段に対応する。また、本実施の形態のデジタル画像伝送装置は、本発明の画像生成装置を含む手段に対応する。
【００２９】
つぎに、本実施の形態のデジタル画像伝送装置の動作について説明する。なお、本実施の形態のデジタル画像伝送装置の動作について説明しながら、本発明の画像生成方法の一実施の形態についても説明する（以下の実施の形態に関しても、同様である）。
【００３０】
▲１▼画像モード制御部１３の動作；画像モード制御部１３は、デジタルカメラ部１、画像データ処理部６へのパケット化された制御情報を、１３９４バス１５上から非同期通信パケット処理部１２を経由して受信する。
【００３１】
そして、画像モード制御部１３は、これらの受信された制御情報をデジタルカメラ部１、画像データ処理部６へそれぞれ設定する。
【００３２】
かくして、ネットワークを経由して、カメラの状態、シャッタータイミング、ズームイン／ズームアウト、画像圧縮のレート、解像度、画角などを遠隔で制御することが可能となる。
【００３３】
▲２▼デジタルカメラ部１の動作；光学部２は、撮影される対象物を取り込む。
【００３４】
たとえば、光学部２が複数のレンズを有し、レンズ間の距離を制御することにより、光学的にズームイン／ズームアウトされた画像の取得が可能となる。
【００３５】
撮像素子３は、光学部２から取得された画像を、光学的に入力し電気的な情報に変換して出力する。
【００３６】
たとえば、この撮像素子３が数百万画素以上の解像度を有していれば、静止画の場合には最大でその数百万画素数まで利用可能で、動画の場合にはその画素からテレビ規格などで決められている領域が選択されることになる。
【００３７】
なお、静止画用に十分の画素数が確保されていなければならないことはもちろんであるが、動画用に通常のテレビ規格などで決められている領域より広い範囲の領域の画素数を手ぶれ補正としてあらかじめ用意しておく必要がある。
【００３８】
同一の撮像素子３から定期的に読み出される画像データは、各々の画像処理を行う動画像処理部４、静止画像処理部５へそれぞれ入力される。
【００３９】
動画像処理部４は、画像モード制御部１３によってネットワーク（図示省略）から受信され設定された制御情報にしたがって、動画像用のフィルタ（図示省略）を利用した画像補正処理などを動画用の画像データに施す。
【００４０】
同様に、静止画像処理部５は、画像モード制御部１３によってネットワーク（図示省略）から受信され設定された制御情報にしたがって、静止画像用のフィルタ（図示省略）を利用した画像補正処理などを静止画用の画像データに施す。
【００４１】
▲３▼画像データ処理部６の動作；動画像圧縮部７は、画像モード制御部１３によってネットワーク（図示省略）から受信され設定された制御情報にしたがって、動画像処理部４から出力された動画像データを動画用に圧縮する。
【００４２】
同様に、静止画像圧縮部８は、画像モード制御部１３によってネットワーク（図示省略）から受信され設定された制御情報にしたがって、静止画像処理部５から出力された静止画像データを静止画用に圧縮する。
【００４３】
▲４▼データ通信部９の動作；時刻付加部１０は、動画像圧縮部７と静止画像処理部８から入力される各々の画像データに、機器固有の相対的な時間情報を対応させる。
【００４４】
たとえば、ＩＥＥＥ１３９４が利用される場合には、１３９４バス上で共通の時間情報であるサイクルタイムの情報を利用するのが一般的である。また、その他の機器で専用の時計情報がない場合には、特定の周波数で生成するカウンタの値を相対的な時間情報として利用するなどの方法がある。これらの情報は、動画像データ、静止画像データを受信する機器内で動画、静止画の各々の画像の相対関係を管理するのに有益である。
【００４５】
同期通信パケット処理部１１は、同期通信で送信するために、動画像データをあらかじめ決められた大きさのパケット単位に分割し、パケット化を施す。
【００４６】
同様に、非同期通信パケット処理部１２は、静止画像データをあらかじめ決められた大きさのパケット単位に分割し、パケット化を施す。
【００４７】
▲５▼１３９４処理部１４の動作；１３９４処理部１４は、これらの同期通信パケットと非同期通信パケットとを、あらかじめ決めらた順番にしたがって１３９４バス１５上に送信する。
【００４８】
なお、ＩＥＥＥ１３９４上でのＤＶおよびＭＰＥＧ２  ＴＳ（Ｔｒａｎｓｐｏｒｔ  Ｓｔｒｅａｍ）データの同期通信は、「ＩＥＣ６１８８３：Ｃｏｎｓｕｍｅｒ  ａｕｄｉｏ／ｖｉｄｅｏ  ｅｑｕｉｐｍｅｎｔ  Ｄｉｇｉｔａｌ  ｉｎｔｅｒｆａｃｅ」により規格化されている。
【００４９】
また、非同期通信を用いたデータ通信は、「１３９４  ＴＲＡＤＥ  ＡＳＳＯＳＩＡＴＩＯＮ：ＡＳＹＮＣＨＲＯＮＯＵＳ  ＳＥＲＩＡＬ  ＢＵＳ  ＣＯＮＮＥＣＴＩＯＮＳ」により規格化されている。
【００５０】
以上のように、本実施の形態のデジタル画像伝送装置は、動画と高画素の静止画を同時に処理し、非同期通信と１３９４などの同期通信とを利用して同時にネットワークに転送することができる。
【００５１】
また、本実施の形態のデジタル画像伝送装置は、ネットワーク経由でデジタルカメラ部１や画像データ処理部６などに設定する情報を受信することができる。
【００５２】
（実施の形態２）
はじめに、本発明の実施の形態２の監視カメラ２０の構成を示す構成図である図２を主として参照しながら、監視カメラ２０の構成について説明する。
【００５３】
監視カメラ２０は、前述した実施の形態１のデジタル画像伝送装置と類似した構成を有しており、デジタルカメラ部１６、画像データ処理部１７、データ通信部１８、画像モード制御部１９を備えている。
【００５４】
デジタルカメラ部１６は、デジタルカメラ部１（図１参照）と類似した構成を有している。
【００５５】
画像データ処理部１７は、画像データ処理部６（図１参照）と類似した構成を有している。
【００５６】
データ通信部１８は、データ通信部９（図１参照）と類似した構成を有している。
【００５７】
画像モード制御部１９は、画像モード制御部１３（図１参照）と類似した構成を有している。
【００５８】
つぎに、監視カメラ２０の動作について説明する。
【００５９】
前述した実施の形態１の場合と同様にして、デジタルカメラ部１６によって撮像され、画像データ処理部１７によって画像データ処理され、データ通信部１８によって相対的な時間情報を付加された動画像データ、静止画像データは、ネットワーク２１を経由して送信される。
【００６０】
蓄積メディア装置２２は、受信されたデータを蓄積メディア２３（たとえば、テープ、ディスク、半導体メモリなど）に蓄える。
【００６１】
蓄えられたデータはあらかじめ送信側で付加された時間情報から動画、静止画の撮影順を識別することにより、モニタ部２４で撮影した順に確認することが可能となる。
【００６２】
（実施の形態３）
はじめに、本発明の実施の形態３のＷＥＢカメラ２９、３４の構成を示す構成図である図３を主として参照しながら、ＷＥＢカメラ２９、３４の構成について説明する。
【００６３】
ＷＥＢカメラ２９は、前述した実施の形態１のデジタル画像伝送装置と類似した構成を有しており、デジタルカメラ部２５、画像データ処理部２６、データ通信部２７、画像モード制御部２８を備えている。
【００６４】
デジタルカメラ部２５は、デジタルカメラ部１（図１参照）と類似した構成を有している。
【００６５】
画像データ処理部２６は、画像データ処理部６（図１参照）と類似した構成を有している。
【００６６】
データ通信部２７は、データ通信部９（図１参照）と類似した構成を有している。
【００６７】
画像モード制御部２８は、画像モード制御部１３（図１参照）と類似した構成を有している。
【００６８】
本実施の形態においては、データ通信部２７にＵＳＢが利用されている。また、動画像データは同期通信を利用して転送され、静止画像は非同期通信（バルク転送）を利用して転送される。
【００６９】
なお、ＷＥＢカメラ３４は、ＷＥＢカメラ２９と同様の構成を有している。
【００７０】
つぎに、ＷＥＢカメラ２９、３４の動作について説明する。
【００７１】
前述した実施の形態１の場合と同様にして、デジタルカメラ部２５によって撮像され、画像データ処理部２６によって画像データ処理され、データ通信部２７によって相対的な時間情報を付加された動画像データ、静止画像データは、ＵＳＢバス３０を経由し送信される。
【００７２】
パソコン３１は、送信されてきたデータを受信し、１０ＢＡＳＥ−Ｔや１００ＢＡＳＥ−ＴなどのＬＡＮ（Ｌｏｃａｌ  Ａｒｅａ  Ｎｅｔｗｏｒｋ）３２を経由してインターネット上の他のパソコン３３と通信する。
【００７３】
同じ構成の画像伝送装置３４とパソコン３３とが接続されていれば、お互いの画像をモニタ３５、３６で閲覧することが可能となる。
【００７４】
また、動画像データに加え静止画像も同時に送れることから、ユーザは、動画像を見ていて高解像度の静止画像が欲しいと思った場合、遠隔操作で相手の機器に静止画像取得の制御コマンドを送ることで静止画像を取得することもできる。
【００７５】
以上においては、本実施の形態１〜３に関して詳細に説明を行った。
【００７６】
なお、本発明の通信規格は、上述した本実施の形態においては、ＩＥＥＥ１３９４やＵＳＢであったが、これに限らず、たとえばＩＥＥＥ８０２やＵＷＢ（Ｕｌｔｒａ  Ｗｉｄｅ  Ｂａｎｄ）であってもよい。
【００７７】
また、本発明のプログラムは、上述した本発明の画像生成方法の全部または一部のステップ（または、工程、動作、作用等）の動作をコンピュータにより実行させるためのプログラムであって、コンピュータと協働して動作するプログラムである。
【００７８】
また、本発明の記録媒体は、上述した本発明の画像生成方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【００７９】
なお、本発明の上記「一部のステップ（または、工程、動作、作用等）」とは、それらの複数のステップの内の、一つまたは幾つかのステップを意味する。
【００８０】
また、本発明の上記「ステップ（または、工程、動作、作用等）の動作」とは、前記ステップの全部または一部の動作を意味する。
【００８１】
また、本発明のプログラムの一利用形態は、コンピュータにより読み取り可能な記録媒体に記録され、コンピュータと協働して動作する態様であっても良い。
【００８２】
また、本発明のプログラムの一利用形態は、伝送媒体中を伝送し、コンピュータにより読みとられ、コンピュータと協働して動作する態様であっても良い。
【００８３】
また、記録媒体としては、ＲＯＭ等が含まれ、伝送媒体としては、インターネット等の伝送媒体、光・電波・音波等が含まれる。
【００８４】
また、上述した本発明のコンピュータは、ＣＰＵ等の純然たるハードウェアに限らず、ファームウェアや、ＯＳ、更に周辺機器を含むものであっても良い。
【００８５】
なお、以上説明した様に、本発明の構成は、ソフトウェア的に実現しても良いし、ハードウェア的に実現しても良い。
【００８６】
上述した本実施の形態によれば、複数の撮像モードを有するデジタルカメラ部と、任意の個数のデジタルカメラ部から入力した複数の画像データを同時に処理する画像データ処理部と、画像データ処理部で処理した複数の画像データを同時にネットワークを経由して他の装置に送信し、かつデジタルカメラ部を制御する情報をネットワークを経由して受信するデータ通信部部と、データ通信部から受信したデジタルカメラ部と画像データ処理部への設定情報を制御する画像モード制御部とを有することによって、動画と高解像度の静止画像を同時に撮影し、それを同時にネットワークで送信することが可能となる。
【００８７】
【発明の効果】
本発明は、コストアップなどの弊害なしに、動画の解像度を上回る高解像度の静止画を動画撮影中に撮影することができるという長所を有する。
【図面の簡単な説明】
【図１】本発明の実施の形態１のデジタル画像伝送装置の構成を示す構成図
【図２】本発明の実施の形態２の監視カメラ２０の構成を示す構成図
【図３】本発明の実施の形態３のＷＥＢカメラ２９、３４の構成を示す構成図
【符号の説明】
１、１６、２５  デジタルカメラ部
２  光学部
３  撮像素子
４  動画像処理部
５  静止画像処理部
６、１７、２６  画像データ処理部
７  動画像圧縮部
８  静止画像圧縮部
９、１８、２７  データ通信部
１０  時刻付加部
１１  同期通信パケット処理部
１２  非同期通信パケット処理部
１３、１９、２８  画像モード制御部
１４  １３９４処理部
１５  １３９４バス
２０、２９、３４  デジタル画像伝送装置
２１  ネットワーク
２２  蓄積メディア装置
２３  蓄積メディア
２４、３５、３６  モニタ
３０  ＵＳＢバス
３１、３３  パソコン
３２  ＬＡＮ
【図１】
2004282598.tif 000003
【図２】
2004282598.tif 000004
【図３】
2004282598.tif 000005